(57)【要約】【課題】操作部を有する操作手段の取付強度が高く、たとえ強い力で操作されたとしても前扉側から外れたり、前扉における操作手段の取付部が破損・変形したりしない遊技機を提供する。【解決手段】第１取付金具４１をフレーム部材３４の前面側に、第２取付金具４２をフレーム部材３４の後面側に夫々位置させた状態で、第１取付金具４１と第２取付金具４２とを一体化するとともに、ボタンユニット４０を、第１取付金具４１の載置部４４に固定することにより、ボタンユニット４０を、フレーム部材３４の前面側に取り付けた。【選択図】図５
2015119856.tif 000002
【特許請求の範囲】
【請求項１】
遊技球が流下可能な遊技領域の前方を覆う透明板と、前記透明板を支持するフレーム機構とを有する前扉が備えられているとともに、前記フレーム機構の前面側に、押し込み操作可能な操作部を有する操作手段が取り付けられた遊技機であって、
前記操作手段を固定可能な固定部、及び第２取付手段と一体化するための取付部を一体的に有する金属製の第１取付手段と、前記第１取付手段の前記取付部と一体化可能な金属製の前記第２取付手段とを設け、
前記第１取付手段を前記フレーム機構の前面側に、前記第２取付手段を前記フレーム機構の後面側に夫々位置させた状態で、前記第１取付手段と前記第２取付手段とが一体化されているとともに、前記操作手段が、前記第１取付手段の前記固定部に固定されていることを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機としては、前面側（たとえば供給皿の近傍等）に遊技者が押し込み操作可能な演出ボタンを設けたものが多々ある。そして、近年では、より大型の演出ボタンを設けたパチンコ機も考案されている（たとえば特許文献１）。
【先行技術文献】
【特許文献】
【０００３】
【特許文献１】特開２０１１−１３０７９４号公報
【発明の概要】
【発明が解決しようとする課題】
【０００４】
一般的に、演出ボタンは、遊技者による操作頻度が高い部材であり、また強い力で操作されがちであることから、演出ボタンを有するボタンユニットが前扉から外れてしまったり、前扉におけるボタンユニットの取付部が破損・変形してしまいやすいという問題を抱えている。そして、上述したように演出ボタンを大型化すると、一層強い力で操作されやすいと考えられることから、上記問題がより顕著になると言える。
【０００５】
そこで、本発明は、上記問題に鑑みなされたものであって、操作部を有する操作手段の取付強度が高く、たとえ強い力で操作されたとしても前扉側から外れたり、前扉における操作手段の取付部が破損・変形したりしない遊技機を提供しようとするものである。
【課題を解決するための手段】
【０００６】
上記目的を達成するために、本発明のうち請求項１に記載の発明は、遊技球が流下可能な遊技領域の前方を覆う透明板と、前記透明板を支持するフレーム機構とを有する前扉が備えられているとともに、前記フレーム機構の前面側に、押し込み操作可能な操作部を有する操作手段が取り付けられた遊技機であって、前記操作手段を固定可能な固定部、及び第２取付手段と一体化するための取付部を一体的に有する金属製の第１取付手段と、前記第１取付手段の前記取付部と一体化可能な金属製の前記第２取付手段とを設け、前記第１取付手段を前記フレーム機構の前面側に、前記第２取付手段を前記フレーム機構の後面側に夫々位置させた状態で、前記第１取付手段と前記第２取付手段とが一体化されているとともに、前記操作手段が、前記第１取付手段の前記固定部に固定されていることを特徴とする。
【０００７】
また、前記フレーム機構に、前記第１取付手段の前記固定部が当接する操作手段用取付部を設けるとともに、前記操作手段用取付部を、周囲よりも一段前方へ曲げ起こしてなる台状部として形成したり、前記操作手段用取付部に、前方又は後方へ突出する補強リブを一体的に設けたりして、前記操作手段用取付部の強度向上を図ってもよい。
【発明の効果】
【０００８】
本発明によれば、第１取付手段を前記フレーム機構の前面側に、第２取付手段をフレーム機構の後面側に夫々位置させた状態で、第１取付手段と第２取付手段とを一体化するとともに、操作手段を、第１取付手段の固定部に固定することにより、操作手段を、フレーム機構の前面側に取り付けているため、たとえばいわゆる供給皿等を介して操作手段を取り付けたり、直接フレーム機構に取り付けるような構造と比較して取付強度が高い。したがって、たとえ操作部が遊技者により強い力で操作されたとしても、操作手段がフレーム機構側から外れたり、フレーム機構における操作手段の取付部が破損・変形したりするといった不具合が生じにくい。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】フレーム機構の下部に、供給皿ユニットやボタンユニット等を取り付けた状態を前方から示した説明図である。
【図５】図４中のＡ−Ａ線断面の要部を示した説明図である。
【図６】フレーム機構の下部に、ボタンユニットを取り付けた状態を示した斜視説明図である。
【図７】第１取付金具を示した斜視説明図である。
【図８】ボタンユニット等が取り外された状態にあるフレーム機構の前面側を示した斜視説明図である。
【発明を実施するための形態】
【００１０】
以下、本発明の一実施形態となるパチンコ機について、図面にもとづき詳細に説明する。
【００１１】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板（透明板）を支持してなる前扉４が、左端縁を軸として片開き可能に機枠３に蝶着されており、該前扉４（特にガラス板）によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物７０等を備えたセンター部材２６が遊技盤２に設置されており、該センター部材２６の下方には、遊技球が入賞可能な始動入賞口１９が設けられている。また、センター部材２６の左方には、遊技球が流下可能な左打ち用スペースＳＬが形成されており、左打ち用スペースＳＬを流下する遊技球に限り、始動入賞口１９へ入賞し得るようになっている。
【００１３】
一方、センター部材２６の右方にも遊技球が流下可能な右打ち用スペースＳＲが形成されている。また、該右打ち用スペースＳＲには、遊技球が通過可能なゲート部材２０と、動作可能な舌片（図示せず）を備えた始動入賞役物１７とが設けられている。該始動入賞役物１７は、舌片の作動に伴い、内蔵された入賞口（図示せず）への遊技球の入賞を可能とする開状態と、入賞口への遊技球の入賞を不可能とする閉状態との何れか一方の状態へ変化するようになっている。さらに、右打ち用スペースＳＲの下部（センター部材２６の下方で、始動入賞口１９の右側となる位置）には、開閉可能な扉部材を有する２つの大入賞アタッカー１８ａ、１８ｂが設置されている。そして、遊技球を左打ち用スペースＳＬではなく右打ち用スペースＳＲを流下させることにより、ゲート部材２０を通過させたり、開状態にある始動入賞役物１７へ入賞させたり、さらには開成した大入賞アタッカー１８ａ、１８ｂへ効率良く入賞させることができる。なお、センター部材２６の左右を問わず、遊技領域１６の略全面には多数の遊技釘（図示せず）が植設されている。また、遊技領域１６外となる遊技盤２の右下部には、特別図柄を表示するための７セグメント表示器からなる特別図柄表示部（図示せず）が設けられている。
【００１４】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な演出ボタン２５を有するボタンユニット４０（図６等に示す）が設けられている。
さらに、前扉４の上部及び下部には、効果音や各種メッセージ等を報音する夫々一対のスピーカ１４、１４が設けられている。加えて、前扉４の上部や左右両側部には、パチンコ機１の遊技状態等に応じて点灯・点滅する複数のＬＥＤを内蔵したランプ部材１５、１５・・が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１６】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させて始動入賞口１９への遊技球の入賞を狙う。そして、遊技球の入賞検知に起因して実行される所謂大当たり抽選の結果が「大当たり」になると、特別図柄表示部及び演出用表示部６に夫々所定の「大当たり図柄」が確定表示される（たとえば、演出用表示部６に「７、７、７」と確定表示させる）。また、「大当たり図柄」が確定表示されると、大入賞アタッカー１８ａ、１８ｂの扉部材を所定回数にわたって断続的に開成させるといった所謂「大当たり状態」が生起する。そこで、遊技者は、右打ち用スペースＳＲを流下させる「右打ち」を行い、断続的に開成する大入賞アタッカー１８ａ、１８ｂへの遊技球の入賞を狙う。
【００１７】
また、大当たり状態終了後、特別図柄表示部での図柄の確定表示回数が所定回数に達するまで、始動入賞役物１７が頻繁に開状態となる所謂時短状態が生起する。そこで、遊技者は、当該時短状態が終了するまで「右打ち」を継続して、ゲート部材２０への遊技球の通過、及び始動入賞役物１７への遊技球の入賞を狙う。そして、図柄の確定表示回数が所定回数に達して時短状態が終了すると、「右打ち」を止めて左打ち用スペースＳＬを流下させる上記遊技へと戻る。また、このような一連の遊技において、ボタンユニット４０では、サブ制御装置による制御のもと、遊技の状況に応じた種々の態様で演出ボタン２５が点灯し、遊技者に演出ボタン２５の押し込みを促す。そして、演出ボタン２５が、所定のタイミングで押し込み操作されると、演出用表示部６において特定の映像が流れたり、電動役物７０が特定の態様で動作したりする。
【００１８】
（ボタンユニットの取付構造についての説明）
ここで、本発明の要部となるボタンユニット４０の取付構造について、詳細に説明する。
図４は、フレーム部材３４の下部に、供給皿ユニット３５やボタンユニット４０等を取り付けた状態を前方から示した説明図である。図５は、図４中のＡ−Ａ線断面の要部を示した説明図である。図６は、フレーム部材３４の下部に、ボタンユニット４０を取り付けた状態を示した斜視説明図である。図７は、第１取付金具４１を示した斜視説明図である。図８は、ボタンユニット４０等が取り外された状態にあるフレーム部材３４の前面側を示した斜視説明図である。
【００１９】
前扉４は、略四角形枠状に一体成形された合成樹脂製のフレーム部材３４を有してなり、当該フレーム部材３４の下辺部３４ａの前面側に、供給皿７を有する供給皿ユニット３５、スピーカ１４を有するスピーカユニット３７、３７等が取付可能となっている。また、フレーム部材３４の下辺部３４ａの左右方向で略中央下寄りとなる位置に、ボタンユニット４０を取り付けるためのボタンユニット取付部３６が設けられている。ボタンユニット取付部３６は、前後方向に薄い板状とされた下辺部３４ａの一部を、周囲よりも一段前方へ曲げ起こしてなる台状部として形成されており、第１取付金具４１を取り付けるためのビス３１を挿通可能な一対のビス孔３３、３３が設けられている。また、ボタンユニット取付部３６の上部及び下部には、台状部から上下方向へ延びる複数の補強リブ３８、３８・・が一体的に設けられている。さらに、ボタン取付部３６の後面にも、ボタンユニット取付部３６を補強するための後面リブ３９が後方へ突設されている。加えて、下辺部３４ａにおけるボタンユニット取付部３６の周囲にも、第１取付金具４１を取り付けるためのビス（図示せず）を挿通可能なビス孔３２、３２が設けられている。
【００２０】
ボタンユニット４０は、本体ケース４３の上面に演出ボタン２５を押し込み操作可能に露出させてなるもので、本体ケース４３には、演出ボタン２５を押し込むことでオン／オフ操作されるスイッチが搭載された回路基板等が内蔵されている。そして、該ボタンユニット４０は、第１取付金具４１及び第２取付金具４２を用いてボタンユニット取付部３６に取り付けられている。
【００２１】
第１取付金具４１は、金属板を折り曲げ加工してなるもので、前方へ延びる舌状の載置部４４と、載置部４４の基端における左右両側から下方へ折り曲げられた一対の補強部４５、４５と、載置部４４の後端縁から下方へ折り曲げられたり、補強部４５の後端縁から左右外側へ折り曲げられる等して前後方向が厚み方向となる板状とされた取付部４６、４６とを有してなる。そして、載置部４４上に、ボタンユニット４０の本体ケース４３を載置した状態で固定可能となっている。また、取付部４６には、図示しないビスを挿通させるための取付孔４７をはじめ、ビス３１を挿通させるための取付孔（図示せず）等、種々の取付孔が設けられている。一方、第２取付金具４２は、後方から見ると凹状となるボタンユニット取付部３６を覆うような大きさを有する矩形の金属板として形成されており、ビス３１等により第１取付金具４１と一体化するための複数の取付孔（図示せず）が設けられている。
【００２２】
そして、上述したようなボタンユニット４０の取付構造では、第１取付金具４１の載置部４４上にボタンユニット４０を固定した状態で、ボタンユニット取付部３６の前面側に第１取付金具４１の取付部４６を当接させるとともに、ボタンユニット取付部３６の後面側を覆うように第２取付金具４２をあてがい、第１取付金具４１と第２取付金具４２とをビス３１等により一体化することで、ボタンユニット４０をフレーム部材３４の下辺部３４ａに取付可能となっている。なお、フレーム部材３４の下辺部３４ａの後面側には、第２取付金具４２を覆うように左右方向へ長い帯状の補強金具５０が固定されており、下辺部３４ａの一層の補強が図られている。
【００２３】
（本実施形態のパチンコ機による効果）
以上のような構成を有するパチンコ機１では、第１取付金具４１をフレーム部材３４の前面側に、第２取付金具４２をフレーム部材３４の後面側に夫々位置させ、フレーム部材３４の下辺部３４ａを挟み込むようにして第１取付金具４１と第２取付金具４２と一体化するとともに、第１取付金具４１の載置部４４にボタンユニット４０を固定することによって、ボタンユニット４０がフレーム部材３４に取り付けられているため、供給皿ユニット３５を介してボタンユニット４０をフレーム部材３４に取り付けたり、直接フレーム部材３４に取り付けるような構造と比較して取付強度が高い。したがって、たとえ演出ボタン２５が遊技者により強い力で操作されたとしても、ボタンユニット４０がフレーム部材３４側から外れたり、フレーム部材３４におけるボタンユニット４０の取付部が破損・変形したりするといった不具合が生じにくい。
また、ボタンユニット取付部３６に曲げ加工を施したり、補強リブ３８、３８・・や後面リブ３９を設けたりしている。したがって、ボタンユニット取付部３６の強度を向上することができ、上記不具合の発生を一層確実に防止することができる。
【００２４】
（本発明の変更例について）
なお、本発明の遊技機に係る構成は、上記実施形態に何ら限定されるものではなく、遊技機全体の構成は勿論、ボタンユニットの取付構造に係る構成についても、本発明の趣旨を逸脱しない範囲で必要に応じて適宜変更可能である。
【００２５】
たとえば、上記実施形態では、前扉のフレーム機構を、略四角形枠状に一体成形された合成樹脂製のフレーム部材としているが、複数の部材を組み付けたり、一部金属製の部材を組み付けたりしてフレーム機構を構成することは当然可能である。
また、遊技者が操作可能な操作部を操作手段に何個設けるかといった事項や、操作手段における操作部の位置等については、言うまでもなく適宜設計変更可能である。
【００２６】
さらに、第１取付手段や第２取付手段の形状、大きさ等についても上記実施形態のものに何ら限定されることはなく、複数の部材を組み付けて第１取付手段や第２取付手段を構成してもよい。
さらにまた、フレーム機構における操作手段取付部の形状や位置等（たとえば補強リブの有無等）についても、言うまでもなく設計変更可能である。
【００２７】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、前扉、透明板、フレーム機構、第１取付手段、第２取付手段、操作手段等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００２８】
１・・パチンコ機（遊技機）、２・・遊技盤、４・・前扉、１６・・遊技領域、２５・・演出ボタン（操作部）、３４・・フレーム部材（フレーム機構）、３４ａ・・下辺部、３６・・ボタンユニット取付部（操作手段用取付部）、３８・・補強リブ、３９・・後面リブ、４０・・ボタンユニット（操作手段）、４１・・第１取付金具（第１取付手段）、４２・・第２取付金具（第２取付手段）、４４・・載置部（固定部）、４５・・補強部、４６・・取付部、４７・・取付孔。
【図１】
2015119856.tif 000003
【図２】
2015119856.tif 000004
【図３】
2015119856.tif 000005
【図４】
2015119856.tif 000006
【図５】
2015119856.tif 000007
【図６】
2015119856.tif 000008
【図７】
2015119856.tif 000009
【図８】
2015119856.tif 000010